(57)【要約】 【課題】各機種の携帯電話機の充電に共用可能で、充電しながら容易に携帯および通話できる小型で且つ薄型の形状を有した携帯電話機用充電器を提供する。【解決手段】同一平面上に所要個数だけ配置された薄型電池７を互いに電気的接続した電池パック部１と、電池パック部１を携帯電話機１２の背面に着脱自在に装着する固定手段１１と、正負一対ずつ備えた背面側多列端子４９および底面側多列端子５０が、電池パック部１の携帯電話機１２への装着時に携帯電話機１２の一対の背面側充電用接点４１および一対の底面側充電用接点４０にそれぞれ弾性的に接触する相対位置に配置されて、各々の一方同士および他方同士がそれぞれ正負一対の接続リード端子５１により電気的接続状態にされているとともに、一対の接続リード端子５１の各々の一端の接続接点５１ａが電池パック部１の正極端子部３７および負極端子部３８に電気的接続された接続端子部２とを備えている。【選択図】図１
2007250348.tif 000002
【特許請求の範囲】
【請求項１】
所要の出力電圧が得られる個数だけ同一平面上に配置された薄型電池が互いに電気的接続されてなる電池パック部と、
前記電池パック部を携帯電話機の背面に着脱自在に装着する固定手段と、
前記電池パック部の正極端子部および負極端子部に各々の一端の接続接点がそれぞれ電気的接続された正負一対の接続リード端子を有するとともに、弾性および導電性を有する細長い線材からなる複数本の接触端子部材を所定間隔に並べた配置で互いに電気的接続状態に固定した背面側多列端子および底面側多列端子をそれぞれ正負一対ずつ備え、各一対の前記背面側多列端子および底面側多列端子が、前記電池パック部の携帯電話機への装着時に当該携帯電話機の一対の背面側充電用接点および一対の底面側充電用接点にそれぞれ弾性的に接触する相対位置に配置されて、各々の一方同士および他方同士が一対の前記接続リード端子によりそれぞれ電気的接続状態されてなる接続端子部と、を備えていることを特徴とする携帯電話機用充電器。
【請求項２】
背面側多列端子および底面側多列端子が、複数本の接触端子部材を１．４ｍｍ以下のピッチで配列して構成されている請求項１に記載の携帯電話機用充電器。
【請求項３】
電池パック部が、複数個の薄型電池が保持枠体の電池収容孔に嵌め入れられた状態で相互に電池的接続されてなり、
接続端子部が、前記保持枠体の一辺部に連結された容器状の端子ホルダー内に各一対の背面側多列端子および底面側多列端子をそれぞれ挿入して保持した構成となっている請求項１または２に記載の携帯電話機用充電器。
【請求項４】
接続端子部の端子ホルダーに、電池パック部の保持枠体に形成された接続用突部に嵌合して連結する被接続用突部が形成され、前記被接続用突部が前記接続用突部に嵌合して前記端子ホルダーが前記電池パック部に着脱自在に連結されたときに、各一対の前記背面側多列端子および底面側多列端子の各々の一方同士および他方同士をそれぞれ電気的接続する正負一対の接続リード端子の各一端部の接続接点が、前記保持枠体の一辺部の正極端子部および負極端子部に接触して電気的接続するように構成されている請求項３に記載の携帯電話機用充電器。
【請求項５】
背面側多列端子および底面側多列端子が、所定間隔で配列された複数本の接触端子部材の各々の基端部が導電性固定部材に電気的接続状態に固着されてなり、端子ホルダーの内部に各一対ずつ形成された背面側嵌合溝部および底面側嵌合溝部に前記各導電性固定部材がそれぞれ嵌め込まれることにより、背面側多列端子および底面側多列端子が携帯電話機の背面側充電用端子および底面側充電用端子にほぼ４５°の角度で相対向する配置で固定されている請求項３または４に記載の携帯電話機用充電器。
【請求項６】
薄型電池として、空気電池を用いた請求項１ないし５の何れか一項に記載の携帯電話機用充電器。
【発明の詳細な説明】
【技術分野】
【０００１】
本発明は、外出先などにおいて付属の専用充電器や商用交流電源を用いることができない状況下で内蔵電池パックが消耗したときに、全機種の携帯電話機に対し、その内蔵電池パックを即座に充電でき、しかも、充電中の状態のまま支障なく携帯および通話を行うこともできる携帯電話機用充電器に関するものである。
【背景技術】
【０００２】
携帯電話機の駆動電源には、主としてリチウムイオン電池やニッケル水素蓄電池を所要個数だけ接続して構成された内蔵電池パックが用いられており、その内蔵電池パックが消耗して電池切れとなった場合に、付属の専用充電器を用いて商用交流電源から内蔵電池パックを充電するようになっている。上記専用充電器は、自宅などの所定の場所に置いて使用することを前提としたものであり、かばん等に入れて携帯したとしても、商用交流電源を使えない場所では役に立たない。近年の内蔵電池パックは、１回の充電で長時間使用できるように改良されてきているのに伴い、電池残量を気にする頻度が少なくなり、外出先で電池切れを起こすことがある。また、十分な電池残量があっても、外出先で長時間通話した場合には電池切れが生じることもある。さらに、内蔵電池パックは、充電および放電を繰り返すのに伴って容量低下が生じるので、同じ内蔵電池パックを長期間使用すると、電池切れを体験する機会も増えてくる。
【０００３】
そこで、近年では、上述のような外出先などでの不意の電池切れに対応するために、市販の乾電池を用いて内蔵電池パックを充電できる外付けの携帯電話機用充電器が提案されている。例えば、図１０（ａ）に示すように、充電器ケース６０内に、複数本の乾電池６１を並列接続した状態で収容し、これら乾電池６１の出力電圧を昇圧回路６２で携帯電話機６４の内蔵電池パック（図示せず）の充電が可能な電圧まで昇圧して接続コネクタ６３から出力する構成を備え、同図（ｂ）に示すように、接続コネクタ６３を携帯電話機６４の底面のインターフェィスコネクタ６５に嵌合して電気的接続状態に取り付けることにより、携帯電話機６４の内蔵電池パックを充電できるようにした携帯電話機用充電器が知られている（特許文献１参照）。
【０００４】
また、図１１に示すように、本体ケース６６が、接続コネクタ６３と絞り部６９とを有するメインケース６７の上記絞り部６９をサブケース６８に差し込んだ構成を備え、収容する乾電池のサイズに合わせて絞り部６９のサブケース６８への差し込み程度を調整できるようにして、サイズの異なる乾電池を使用可能とした携帯電話機用充電器も存在する（特許文献２参照）。これらの充電器はコンビニエンスストアなどで主に販売されている。
【特許文献１】特開２００４−２７３４１１号公報
【特許文献２】特開２００４−３５０４３０号公報
【発明の開示】
【発明が解決しようとする課題】
【０００５】
しかしながら、携帯電話機６４は、メーカー毎または機種毎にインターフェイスコネクタ６５の形成箇所や形状が個々に異なり、このようにインターフェイスコネクタ６５の規格が異なる機種の各種の携帯電話機に対して、それぞれ専用の充電器を製作する必要があり、コスト高になるとともに、携帯電話機の使用者が自身が使用する携帯電話機に適合しない充電器を間違って購入するおそれがある。
【０００６】
また、従来の携帯電話機用充電器に用いられる乾電池６１は、主として、単３型、単４型または００６Ｐ型の各サイズのマンガン電池またはアルカリマンガン電池であるが、マンガン電池は放電開始されると、その放電に伴って出力電圧が急激に低下する放電特性を有しているので、放電開始時から比較的短時間が経過した時点で出力電圧が内蔵電池パックへの充電が不可となる電圧値にまで低下してしまい、以後、電池容量が残っているにも拘らず内蔵電池パックを充電できない。一方、アルカリマンガン電池は、放電に伴う電圧低下がマンガン電池に比べて幾分緩やかであるが、その電池特性上、やはり放電開始時から比較的短い時間が経過した時点で出力電圧が内蔵電池パックへの充電が不可となる電圧値にまで低下するので、自体が有する電池容量を内蔵電池パックへの充電に十分に活用することができない。このようにマンガン電池やアルカリマンガン電池を用いた場合には、これらの電池容量のうちの半分未満またはほぼ半分程度しか内蔵電池パックへの充電に有効利用することができないので、比較的長時間にわたり内蔵電池パックへの充電を継続することができない。
【０００７】
これに対し、乾電池６１の使用本数を増やして、これら乾電池６１を例えば互いに直列接続することにより、内蔵電池パックへの充電が可能な出力電圧を比較的長時間にわたり維持することができる電池容量が得られる構成とすれば、充電開始の直後に携帯電話機を通話可能状態として、この通過可能状態を比較的長時間にわたり継続することができる。ところが、そのような構成にすると、充電器自体が大型化するとともに重量も大となり、充電器を携帯電話機に取り付けて充電しながらの状態で、その携帯電話機で通話するのに不向きなものになってしまう。
【０００８】
また、上記充電器では、電源として使用する乾電池６１の重量が大きい上に、携帯電話機６４に対しこれの底面のインターフェイスコネクタ６５に接続して吊り下げ状態に取り付けられるために、全体形状が長い大きなものになってしまい、衣服のポケットなどに収納して携帯することが困難である。しかも、インターフェイスコネクタ６５は、専用充電器に接続して据え置き形態で充電する用途に用いることを目的として設けられたものであって、充電器を接続した状態で携帯する用途などに適するようになっていないため、充電器を接続した状態で携帯すると、不用意に大きな力が加わって接触不良や破損が生じるおそれがある。したがって、従来の充電器は、常時携帯および取り付け状態での通話の何れにも不向きなものである。
【０００９】
本発明は前記従来の問題点に鑑みてなされたもので、各機種の携帯電話機の充電に共用可能で、充電しながら容易に携帯および通話できる小型で且つ薄型の形状を有した携帯電話機用充電器を提供することを目的としている。
【課題を解決するための手段】
【００１０】
前記目的を達成するために、請求項１に係る発明の携帯電話機用充電器は、所要の出力電圧が得られる個数だけ同一平面上に配置された薄型電池が互いに電気的接続されてなる電池パック部と、前記電池パック部を携帯電話機の背面に着脱自在に装着する固定手段と、前記電池パック部の正極端子部および負極端子部に各々の一端の接続接点がそれぞれ電気的接続された正負一対の接続リード端子を有するとともに、弾性および導電性を有する細長い線材からなる複数本の接触端子部材を所定間隔に並べた配置で互いに電気的接続状態に固定した背面側多列端子および底面側多列端子をそれぞれ正負一対ずつ備え、各一対の前記背面側多列端子および底面側多列端子が、前記電池パック部の携帯電話機への装着時に当該携帯電話機の一対の背面側充電用接点および一対の底面側充電用接点にそれぞれ弾性的に接触する相対位置に配置されて、各々の一方同士および他方同士が一対の前記接続リード端子によりそれぞれ電気的接続状態されてなる接続端子部と、を備えていることを特徴としている。
【００１１】
請求項２に係る発明は、請求項１の発明の携帯電話機用充電器における背面側多列端子および底面側多列端子が、複数本の接触端子部材を１．４ｍｍ以下のピッチで配列して構成されている。
【００１２】
請求項３に係る発明は、請求項１または２の発明の携帯電話機用充電器における電池パック部が、複数個の薄型電池が保持枠体の電池収容孔に嵌め入れられた状態で相互に電池的接続されてなり、接続端子部が、前記保持枠体の一辺部に連結された容器状の端子ホルダー内に各一対の背面側多列端子および底面側多列端子をそれぞれ挿入して保持した構成になっている。
【００１３】
請求項４に係る発明は、請求項３の発明の携帯電話機用充電器において、接続端子部の端子ホルダーに、電池パック部の保持枠体に形成された接続用突部に嵌合して連結する被接続用突部が形成され、前記被接続用突部が前記接続用突部に嵌合して前記端子ホルダーが前記電池パック部に着脱自在に連結されたときに、各一対の前記背面側多列端子および底面側多列端子の各々の一方同士および他方同士をそれぞれ電気的接続する正負一対の接続リード端子の各一端部の接続接点が、前記保持枠体の一辺部の正極端子部および負極端子部に接触して電気的接続するように構成されている。
【００１４】
請求項５に係る発明は、請求項３または４の発明の携帯電話機用充電器において、背面側多列端子および底面側多列端子が、所定間隔で配列された複数本の接触端子部材の各々の基端部が導電性固定部材に電気的接続状態に固着されてなり、端子ホルダーの内部に各一対ずつ形成された背面側嵌合溝部および底面側嵌合溝部に前記各導電性固定部材がそれぞれ嵌め込まれることにより、背面側多列端子および底面側多列端子が携帯電話機の背面側充電用端子および底面側充電用端子にほぼ４５°の角度で相対向する配置で固定されている。
【００１５】
請求項６の発明は、請求項１ないし５の何れか一項の発明の携帯電話機用充電器における薄型電池として、空気電池を用いたものである。
【発明の効果】
【００１６】
請求項１の発明によれば、従来の充電器のように携帯電話機の機種により規格が種々に異なるインターフェイスコネクタに接続コネクタを嵌入して接続する方式に代えて、大別して２種類しか存在しない携帯電話機の充電用接点に対し多列端子が有する複数本の接触端子部材の少なくとも１本を単に接触させるだけで電気的接続する方式としたことにより、正負一対ずつの背面側多列端子と底面側多列端子との双方を共に備えて、携帯電話機の背面に装着することにより背面側多列端子および底面側多列端子の一方の接触端子部材を充電用接点に接触させて電気的接続し、且つ他方の接触端子部材を携帯電話機の底面または背面に押し付けて変形させるようにしたので、全機種の携帯電話機の充電に容易に対応することができる。また、複数個の薄型電池を同一平面上に配置してなる薄型で、且つ軽量化された電池パック部を携帯電話機の背面に装着することから、この充電器を含む携帯電話機全体の厚みおよび外形は充電器の未装着時と殆ど変わらないので、携帯電話機を、充電器を装着したまま握って通常の使用状態で支障なく通話できる。
【００１７】
請求項２の発明によれば、背面側多列端子または底面側多列端子を携帯電話機の背面側充電用接点または底面側充電用接点に対し無造作に位置決めして携帯電話機の背面に装着した場合であっても、その携帯電話機の機種の相違に拘らず、背面側多列端子または底面側多列端子の複数本の接触端子部材のうちの少なくとも１本が背面側充電用接点または底面側充電用接点に確実に接触して電気的接続状態を得ることができる。
【００１８】
請求項３の発明によれば、弾性を有する細長い線材からなる複数本の接触端子部材からなる多列端子を、端子ホルダー内に保持して損傷などを受けるおそれのないように保護することができるとともに、携帯電話機への装着時に、端子ホルダーによって背面側充電用接点または底面側充電用接点に確実な電気的接続状態に押し付けることができる。
【００１９】
請求項４の発明によれば、接続端子部を電池パック部に対し着脱できるので、電池パック部の薄型電池が劣化したような場合には、新たな電池パック部に容易に交換することができ、接続端子部はそのまま継続使用できる。逆に、多列端子の弾性を有する細長い線材からなる接触端子部材が変形して劣化したような場合には、新たな接続端子部に容易に交換することができ、電池パック部はそのまま継続使用できる。
【００２０】
請求項５の発明によれば、自在に弾性変形することを目的として、背面側多列端子および底面側多列端子が弾性を有する細長い線材からなる接触端子部材で構成されているにも拘らず、この接触端子部材を、携帯電話機に装着したときに充電用接点に弾力的に接触して確実に電気的接続する配置に強固に支持することができる。
【００２１】
請求項６の発明によれば、空気電池は、出力電流値がやや少ない目であって、比較的低出力で放電するが、その放電開始時の出力電圧として、携帯電話機の内蔵電池パックへの充電が可能な電圧値を確保でき、且つ放電に伴う電圧低下が殆ど生じないので、上記充電が可能な電圧値を自体の電池容量が無くなる直前まで保持し続ける放電特性を有している。しかも、空気電池は、マンガン電池やアルカリマンガン電池に比べて重量エネルギ密度または体積エネルギ密度が高い特長を有している。したがって、空気電池により内蔵電池パックを充電する場合には、空気電池が有する高いエネルギ密度に対応した高い電池容量の殆ど全てを内蔵電池パックへの充電に有効利用することができる。そのため、内蔵電池パックを急速充電することはできないが、空気電池が上述した安定した放電特性を有しているから、内蔵電池パックの充電を開始した直後に携帯電話機を通話可能状態とすることができるとともに、内蔵電池パックを比較的長時間にわたり効率良く充電し続けることができる。
【発明を実施するための最良の形態】
【００２２】
以下、本発明の最良の実施形態について、図面を参照しながら説明する。図１は本発明の一実施形態に係る携帯電話機用充電器を携帯電話機１２との相対配置と関連付けて示した分解斜視図である。この携帯電話機用充電器は、電池パック部１と接続端子部２とが着脱自在に互いに連結されてなり、複数個（この実施形態では４個の場合を例示）の粘着パッド１１によって携帯電話機１２の本体ケース１３における表面蓋ケース１４が取り付けられている表面とは反対側の背面に着脱自在に貼着して取り付けるようになっている。
【００２３】
通常、携帯電話機１２には、専用充電器を用いて商用交流電源から急速充電する目的でインターフェイスコネクタが設けられ、充電開始した直後に通話することを可能とする目的で充電用接点が設けられている。そこで、上記充電器は、従来の充電器のように携帯電話機１２のインターフェイスコネクタを通じて内蔵電池パックを充電するのに代えて、充電用接点を通じて内蔵電池パックの充電を行う構成になっている。これにより、この充電器は、上述のように携帯電話機１２の本体ケース１３の背面に着脱自在に貼着して取り付けることが可能になっている。
【００２４】
ところで、近年の携帯電話機１２は、大別すると、図４（ｂ）に示すように本体ケース１３における表面蓋ケース１４が取り付けられた表面とは反対側の背面に正負一対の背面側充電用接点４１が設けられたものと、同図（ｃ）に示すように本体ケース１３の底面におけるインターフェイスコネクタ４４の両側箇所に正負一対の底面側充電用接点４０が設けられたものとの２種が存在し、これらの各充電用接点４０，４１は、何れも長方形状の凹所に形成されている。底面側充電用接点４０および背面側充電用接点４１は、何れもメーカーが異なる種々の携帯電話機１２であっても、大きく相違する位置に設けられることがなく、ほぼ同じ位置に設けられている。
【００２５】
そこで、上記充電器は、図４（ｃ）に示すように底面側充電用接点４０を備えた携帯電話機１２と、図４（ｂ）に示すように背面側充電用接点４１を備えた携帯電話機１２との双方に共用するために、接続端子部２に、正負一対の背面側充電用接点４１，４１に接触して接続する正負一対の背面側多列端子４９，４９と、正負一対の底面側充電用接点４０，４０に接触して接続する正負一対の底面側多列端子５０，５０との双方を設けた構成としてある。なお、図４（ｂ），（ｃ）は、充電器を携帯電話機１２に装着したときの背面側多列端子４９および底面側充電用接点４０と背面側充電用接点４１および底面側充電用接点４０との相対位置関係を明確に示すために、接続端子部２を、後述の端子ホルダー４２を除外して背面側多列端子４９および底面側充電用接点４０のみを図示してある。この接続端子部２の詳細については後述する。
【００２６】
図１において、上記電池パック部１は、矩形状の板状体からなる保持枠体４と、この保持枠体４に形成された複数個（この実施形態では４個の場合を例示）の電池収容孔３０にそれぞれ嵌め入れて保持される複数個（この実施形態において４個）の空気電池７と、保持枠体４の両面にそれぞれ貼着される負極側外装シート８および正極側外装シート９と、正極側外装シート９の外面に貼着される空気遮断用シート１０とを備えて、ほぼ保持枠体４に相当する外形と厚みを有する偏平な矩形状の外形に構成されている。
【００２７】
説明の便宜上、先ず、上記携帯電話機用充電器の充電用電源として用いる空気電池７の詳細について、図２を参照しながら説明する。この空気電池７は、容器状の正極缶１７の底面部に複数個（この実施形態において４個）の空気導入孔１８が穿設され、その正極缶１７の内部に、空気中の酸素を正極反応に利用する空気極１９と、亜鉛などの負極活物質および電解液からなるゲル状の負極合剤２０とが、セパレータ２１を介在して互いに電気絶縁された状態で収容され、正極缶１７の開口部がリング状の絶縁ガスケット２２を介在した電気絶縁状態で負極缶２３により封口された構成になっている。
【００２８】
上記空気極１９は、集電体（図示せず）の一面に触媒層（図示せず）が担持され、且つ集電体の他面に撥水膜２４が固定された構成を有している。上記集電体としては、導電性を有する金属ネット、エキスパンドメタル、パンチングメタルなどが用いられ、その形成素材としては、ステンレス、ニッケル、ステンレスや鉄にニッケルめっきを施したものが用いられる。上記触媒層は、酸素還元触媒能を有する種々の金属酸化物に活性炭、ポリテトラフルオロエチレンなどの分散液を添加した混合物よりなる。また、撥水膜２４には、気体透過能および撥水性を有するフッ素樹脂多孔膜が用いられる。さらに、正極缶１７の内底面には空気拡散紙２７が設けられており、この空気拡散紙２７と撥水膜２４との間には、空気拡散空間２８が設けられている。撥水膜２４は、電解液の電池外部への漏液を防止するとともに、空気極１９への酸素供給を担う機能を有している。
【００２９】
上記空気電池７は、正極缶１７の突出部１７ａの外面にシール材（図示せず）を貼着して全ての空気導入孔１８を閉塞することにより、電池内部への空気の進入を阻止した放電不能状態で市販され、使用時に、図１に図示するようにシール材を剥がした状態で所定の電池装着箇所に取り付けることにより、空気導入孔１８から内部に導入された空気中の酸素が正極活物質として電気化学反応を起こして、電力が出力される。この実施形態では、空気電池７がシール材を剥がして空気導入孔１８を開口させた放電可能状態で電池パック部１の内部に収容される。
【００３０】
空気電池７は、上述のように空気中の酸素を正極活物質として活用することから、通常の電池のように正極活物質を電池缶内に詰め込む必要がないので、同一容量の一次電池に比べて、正極活物質が不要となる分だけ電池缶内に多くの負極活物質を充填することが可能となって大容量を得ることができる。そのため、空気電池７は、電池の重量に対する電池の容量である重量エネルギー密度または電池の体積に対する電池の容量である体積エネルギー密度が高く、また、放電に伴う出力電圧の低下が殆ど生じない放電特性を有しており、その上にコイン形態であって、極めて薄型で、且つ小型であるという利点を有しているから、常時携帯することが求められる携帯電話機用充電器の充電用電源として最も相応しい特長を有する一次電池であると言える。
【００３１】
つぎに、図１の保持枠体４について、これを拡大して示した図３を参照しながら説明する。この保持枠体４は、空気電池７を嵌め入れることのできる電池収容孔３０が４個形成された矩形状の枠板２９に、これの底側の一辺部の外面中央部から下方に延びる一対の連結突部３１，３１が一体に突設されて、それら連結突部３１，３１の間に嵌合溝３２が形成されているとともに、底側外面の両端近傍箇所から下方に延びる一対の保持突部３３，３３が一体に突設されている。この連結突部３１および保持突部３３を一体に備えた枠板２９は、電気絶縁性を有する材質、例えばポリプロピレンにより、空気電池７の厚さに対応した厚さに形成されている。この実施形態では、空気電池７として、２３ｍｍの直径と２．７ｍｍの厚さとを有する形状に形成されて電池容量が１０５０ｍＡｈに設定されたものを用いており、この空気電池７の２．７ｍｍの厚さに対応して、上記枠板２９は２．９ｍｍの厚さに設定されている。
【００３２】
上記嵌合溝３２は、上記一対の連結突部３１，３１の対向面がテーパー面に形成されて、外方（この場合は図の下方）に向けて溝幅が徐々に狭くなり、且つ携帯電話機１２への装着面側とは反対方向（この場合は図の手前側方向）に向けて溝幅が徐々に狭くなる形状に形成されている。この嵌合溝３２の形状については、図示の都合上、嵌合溝３２に嵌合する接続端子部２の嵌合突部４７を説明するときに図示した上で詳述する。また、両端側の保持突部３３は、各々の外面がテーパー面に形成されている。すなわち、各連結突部３１，３１および各保持突部３３，３３は、嵌合溝３２を含みいわゆる蟻溝形態に形成されており、これにより、後述する接続端子部２を、携帯電話機１２への装着面側からのみ嵌入させて、正規の相対位置で脱落することのない確実な連結構造で連結できるようになっている。
【００３３】
上記枠板２９に形成された各電池収容孔３０には接続リード片３４がそれぞれ取り付けられている。この接続リード片３４は、導電性素材、例えばステンレスにより、電池収容孔３０に対応した曲率を有する弧状の正極接続片部３４ａの中央箇所から直交方向に直線状の負極接続片部３４ｂが延びる形状に形成されており、正極接続片部３４ａが電池収容孔３０の孔周壁の一部に沿って固定され、負極接続片部３４ｂが隣接する電池収容孔３０の近接位置でこれの径方向に延びる配置に保持されている。但し、図の右方下側の電池収容孔３０に取り付けられた接続リード片３４は、正極接続片部３４ａから図の下方に向け正極リード片部３４ｃが延びる形状になっており、その正極リード片部３４ｃが、図の右側の連結突部３１と保持突部３３との間に設けられた正極端子部３７に電気的接続されている。また、図の左方下側の電池収容孔３０には、接続リード片３４が設けられずに、図の左側の連結突部３１と保持突部３３との間に設けられた負極端子部３８から上方に延びる負極リード片部３８ａが近接位置で径方向に延びる配置で対設されている。
【００３４】
また、接続リード片３４は、負極接続片部３４ｂが電池収容孔３０に対し携帯電話機１２への装着面側に位置する配置で取り付けられている。そのため、図１に矢印で示すように、４個の空気電池７は、電池収容孔３０に対し、保持枠体４の携帯電話機１２への装着面側とは反対側である図の手前側からのみ嵌め込むことが可能になっている。また、各空気電池７は、各々の空気導入孔１８が携帯電話機１２への装着面側とは反対側に位置する配置で電池収容孔３０に嵌め入れられる。これにより、電池収容孔３０に嵌め入れられた空気電池７の空気導入孔１８が接続リード片３４の負極接続片部３４ｂで塞がれるおそれがなく、また、充電器を携帯電話機１２に装着した際に各空気電池７の空気導入孔１８が携帯電話機１２とは反対側に位置して、やはり空気導入孔１８が塞がれるおそれがない。そのため、電池収容孔３０に保持された各空気電池７は、空気導入孔１８を通じて内部に円滑、且つ確実に空気を取り込めるようになっている。
【００３５】
空気電池７は、図２に明示するように、コイン形状の端周面が正極缶１７による正極側となり、厚み方向の一面側（図の上面側）が負極缶２３による負極側になっており、負極缶２３の一部が正極缶１７から僅かに外方に突出されて、負極端子部を形成している。したがって、各空気電池７を上述した配置で電池収容孔３０に嵌め入れたときには、空気電池７の正極缶１７の端周面の一部が接続リード片３４の正極接続片部３４ａに接触して電気的に接続され、負極缶２３が接続リード片３４の負極接続片部３４ｂまたは保持枠体４の負極端子部３８の負極リード片部３８ａに接触して電気的に接続される。したがって、左右両側の上下方向および上方両側の左右方向で互いに隣接する各２個の空気電池７は、接続リード片３４を通じて互いに直列接続される。その結果、４個の空気電池７は、電池収容孔３０に嵌め入れられることにより、接続リード片３４を通じて正極端子部３７および負極端子部３８の間で直列接続されることになる。
【００３６】
図１に示すように、保持枠体４の両面には、各電池収容孔３０にそれぞれ空気電池７を嵌め入れた状態で負極側外装シート８および正極側外装シート９が貼着され、この両外装シート８，９によって各空気電池７は電池収容孔３０内に保持される。さらに、正極側外装シート９の外面に空気遮断用シート１０が貼着されることにより、各空気電池７の空気導入孔１８が密閉されて、矩形状で薄型の外形を有する電池パック部１が構成される。各外装シート８，９および空気遮断用シート１０は、何れも厚さが０．１ｍｍと極めて薄い樹脂シートの一面側に粘着性が付与されたものである。
【００３７】
したがって、上述のようにして構成された電池パック部１は、２．９ｍｍの厚さを有する保持枠体４の４個の電池収容孔３０内に空気電池７が外方に殆ど食み出ることのない状態に嵌め入れられ、その保持枠体４の両面に、厚さが０．１ｍｍの負極側および正極側の各外装シート８，９をそれぞれ貼着しただけのものであるから、厚さが僅かに３．１ｍｍの極めて薄型で、保持枠体４に対応した小さな矩形状の外形を有する小型で軽量化されたものとなる。
【００３８】
空気電池７の正極缶１７側に貼着される正極側外装シート９には、各空気電池７の正極缶１７が有する４個の空気導入孔１８を包含できる直径が１６ｍｍの逃げ孔９ａが４つ形成されており、保持枠体４に保持された各空気電池７の各空気導入孔１８は、逃げ孔９ａを通じて電池パック部１の外部に露出される。但し、携帯電話機用充電器の未使用時には、正極側外装シート９の外面に貼着される空気遮断用シート１０によって各逃げ孔９ａが密閉されて、各空気電池７が、各空気導入孔１８が外部から遮断されることによって放電不能状態に保持される。
【００３９】
図１に示すように、上記接続端子部２は、全体として細長い容器状となった端子ホルダー４２と、この端子ホルダー４２内に嵌め入れて保持される前述の一対の背面側多列端子４９，４９および一対の底面側多列端子５０，５０とを備えて構成されている。端子ホルダー４２は、電池パック部１の保持枠体４における図１の下方側の接続辺部に対応した長さを有し、図の上面である保持枠体４への接触面に、電池パック部１の嵌合溝３２に嵌合する嵌合突部４７が中央部から、且つ電池パック部１の両端側の一対の保持突部３３に係合する一対の支持突部４８が両端部からそれぞれ一体に突設されている。この端子ホルダー４２は、電気絶縁性の素材、例えばポリプロピレンにより一体成形されている。
【００４０】
端子ホルダー４２についてさらに詳述すると、端子ホルダー４２の嵌合突部４７は、端子ホルダー４２の長手方向に沿った方向の両側面が、保持枠体４の嵌合溝３２を構成する一対の連結突部３１，３１の対向面に形成された上述のテーパー面に対応するように、電池パック部１への連結方向（図の上方）に向け一定角度θ１で外方に傾斜し、且つ端子ホルダー４２の長手方向に対し携帯電話機１２から離間側への直交方向（図の左方向）に向け一定角度θ２で内方に入り込むテーパー面に形成されている。電池パック部１の嵌合溝３２を形成する一対の連結突部３１の対向面は、上述した嵌合突部４７の両側面のテーパー面に対応するテーパー面に形成されているのは言うまでもない。一方、一対の支持突部４８の各々の内面は、電池パック部１への連結方向に向け嵌合突部４７と同一の角度（つまりθ１）で内方に傾斜するテーパー面に形成されている。保持枠体４の両端側の一対の保持突部３３の各外面は、上述した支持突部４８のテーパー面に対応したテーパー面に形成されているのは勿論である。
【００４１】
図４（ａ）は、接続端子部２を示す拡大縦断面図であり、同図の右方が携帯電話機１２への装着面側である。接続端子部２は、正負一対の背面側多列端子４９，４９、正負一対の底面側多列端子５０，５０および正負一対の接続リード線５１が端子ホルダー４２に内装して構成されている。計４つの各多列端子４９，５０は、何れも同一構成を有するものであって、弾性および導電性を有する細長い線材からなる複数本の接触端子部材５３を所定間隔を設けて並べた配置で導電性固定部材５２に固定して互いに電気的接続した構成になっている。
【００４２】
上記接触端子部材５３は、円形の断面を有する細い導電性線材、例えば銅線、黄銅線またはステンレス線などの先端を約９０°の角度に折り曲げて充電用接点４０，４１への接触接点部を形成したものである。この接触端子部材５３の線径は、充電するときの電気量によって決定されるが、０．３〜０．４ｍｍの線径を有するものが好適である。これは、複数本の接触端子部材５３を並べて多列端子４９，５０を形成するので、上記線径よりも太い接触端子部材５３を用いると、携帯電話機１２に装着するに際して充電用接点４０，４１に押し付けるときに、多列端子４９，５０の全ての接触端子部材５３を弾性変形させるのに大きな力を必要として、好ましくないからである。
【００４３】
また、接触端子部材５３の配列ピッチは、線径が０．４ｍｍの接触端子部材５３を用いた場合、１．４ｍｍ以下に設定するのが好ましい。これは、携帯電話機１２の充電用接点４０，４１の幅が機種によって異なり、充電用接点４０，４１の最も狭い幅が１．８ｍｍであるので、多列端子４９，５０を充電用接点４０，４１に対し無造作に位置決めして押し付けたときに、少なくとも１本の接触端子部材５３を充電用接点４０，４１に確実に接触させるのに必要な配列ピッチが１．４ｍｍとなるからである。多列端子４９，５０は、各機種の携帯電話機１２が有する充電用接点における最大幅よりも十分に大きな幅に設定されている。したがって、携帯電話機１２への装着に際しては、充電用接点４０，４１に対し多列端子５０，４９を適当な相対位置に相対向させても、多列端子５０，４９の少なくとも１本の接触端子部材５３を充電用接点４０，４１に確実に接触させることができる。
【００４４】
さらに、多列端子４９，５０は、所要本数の接触端子部材５３を上述した配列ピッチで並べた状態で、これら接触端子部材５３の基端部を、例えば０．５ｍｍの厚さを有する銅板からなる導電性固定部材５２に溶接により固定して形成されている。なお、接触端子部材５３は、繰り返し使用する場合の加圧力に耐えるように取り付ける必要があるので、導電性固定部材５２に対しかしめ加工により強固に固定する方が好ましい。
【００４５】
図４（ａ）に示すように、上述のように構成された背面側多列端子４９および底面側多列端子５０は、これらの導電性固定部材５２が端子ホルダー４２の背面側嵌合溝部４２ｂおよび底面側嵌合溝部４２ｃにそれぞれ嵌め入れられることにより、携帯電話機１２の背面に装着されたときに、その携帯電話機１２の背面側充電用接点４１および底面側充電用接点４０に対し約４５°の角度で相対向する配置に設定して端子ホルダー４２に取り付けられる。
【００４６】
さらに、一対の接続リード線５１はそれぞれ、一端側の接触接点５１ａが端子ホルダー４２の固定孔４２ａに挿入され、且つ他端部が端子ホルダー４２の底面の固定孔４２ｄに挿入されることにより、若干撓められて背面側多列端子４９および底面側多列端子５０の各々の導電性固定部材５２に押し付けられて電気的接続される。これにより、背面側多列端子４９および底面側多列端子５０は、接続リード線５１を通じて正極側同士および負極側同士が相互に電気的接続されるとともに、接続リード線５１によって導電性固定部材５２が背面側嵌合溝部４２ｂおよび底面側嵌合溝部４２ｃから抜け止めされて、端子ホルダー４２の内部にがたつきの生じない固定状態に収納される。なお、一対の接続リード線５１は、背面側多列端子４９および底面側多列端子５０の各々の導電性固定部材５２に予め溶接などの手段で電気的接続状態に固着してもよい。
【００４７】
つぎに、上記携帯電話機用充電器の使用について説明する。この充電器は、使用中の携帯電話機が底面側充電用接点４０または背面側充電用接点４１の何れを有する機種のものであるかの別に拘らず、電池パック部１と接続端子部２とを組み合わせた単一の構成で、ほぼ全ての機種の携帯電話機１２の内蔵電池パックの充電用に適用することができるので、携帯電話機１２の使用者が間違ったものを購入するといった従来の不具合は生じない。なお、常時携帯するに際しては、電池パック部１と接続端子部２とを個々に切り離した状態で鞄などに入れておけば、損傷などの発生のおそれがないので、好ましい。この携帯時には、空気遮断用シート１０を正極側外装シート９に貼着して各空気電池７を放電不能状態に保持しておくのは勿論である。
【００４８】
そして、外出先などにおいて携帯電話機１２の内蔵電池パックが消耗した場合には、上記充電器を携帯電話機１２の本体ケース１３の背面に貼着して内蔵電池パックの充電を行う。この場合、図５に示すように、充電器は、接続端子部２の嵌合突部４７を電池パック部１に対してこれの携帯電話機１２への装着面側から嵌合溝３２に嵌め入れ、且つ接続端子部２の一対の支持突部４８，４８を電池パック部１の保持突部３３，３３の各々の外面に係合させることにより、電池パック部１に接続端子部２を連結して組み立てられる。このように、接続端子部２は、電池パック部１に対し所定の方向側から自体の嵌合突部４７および支持突部４８を電池パック部１の嵌合溝３２および保持突部３３に嵌め合わせる相対配置で挿脱するワンタッチ操作で容易に着脱できるようになっている。
【００４９】
上記充電器の組み立て時において、接続端子部２の嵌合突部４７は、図１において説明したように、両側面が上述した２種の角度θ１，θ２を有するテーパー面に形成されていることから、嵌合溝３２に対し正規の相対配置まで嵌入した位置で進出を阻止され、一対の支持突部４８が保持枠体４の一対の保持突部３３を両側から挟み込む状態で係合するように設定されている。これにより、接続端子部２は、電池パック部１に対し、これから離間する方向および携帯電話機１２の装着面側とは反対方向への何れの方向にも抜け落ちない状態に連結される。すなわち、電池パック部１と接続端子部２とは、嵌合突部４７および支持突部４８と嵌合溝３２および保持突部３３とを嵌め合わせた蟻溝構造で強固に連結される。
【００５０】
なお、各接続端子部２は、携帯電話機１２への装着面側とは反対方向へ抜け落ちないように電池パック部１に連結すればよいので、上述のように嵌合突部４７を携帯電話機１２に対し接離方向に一定角度θ２で傾斜するテーパー面に形成するのに代えて、電池パック部１の保持枠体４に接続端子部２の抜け止めを行うストッパ部を一体形成するようにしてもよい。
【００５１】
図６および図８に示すように、上述のように接続端子部２が電池パック部１に連結されたときには、接続端子部２の一対の接続リード端子５１，５１の各々の接触接点５１ａ，５１ａが電池パック部１の正極端子部３７および負極端子部３８に弾性的に接触して電気的接続される。これにより、電池パック部１の４個の空気電池７は、接続端子部２の一対の接続リード端子５１，５１を通じて正極側の背面側多列端子４９および底面側多列端子５０と負極側の背面側多列端子４９および底面側多列端子５０との間に直列接続された状態となる。
【００５２】
充電器を後述のように携帯電話機１２の背面に貼着して装着したときには、接続端子部２の嵌合突部４７が、上述のように電池パック部１から離間する方向および携帯電話機１２の装着面側とは反対方向への何れの方向への移動も阻止されるのに加えて、携帯電話機１２によってこれに近接する方向への移動も阻止されるので、電池パック部１に対し完全な抜け止め状態で連結されることになる。
【００５３】
また、充電器を携帯電話機１２から取り外したときには、この携帯電話機１２への装着面側に向けて接続端子部２を引っ張れば、嵌合突部４７および一対の支持突部４８の各々のテーパー面が保持枠体４の一対の連結突部３１，３１および一対の保持突部３３の各々のテーパー面にそれぞれ円滑に摺動して、接続端子部２を電池パック部１から容易に取り外すことができるので、電池パック部１の空気電池７が劣化したような場合に、新たな電池パック部１に容易に交換することができ、接続端子部２はそのまま継続使用できる。逆に、多列端子４９，５０の接触端子部材５３が変形して劣化したような場合には、新たな接続端子部２に容易に交換することができる。
【００５４】
上述のような手順で電池パック部１と接続端子部２とを連結して組み立てた充電器を用いて背面側充電用接点４１を有する携帯電話機１２の充電を行う場合には、図６および図７に示すように、接続端子部２の背面側多列端子４９の接触端子部材５３を背面側充電用接点４１に押し当てて僅かに撓む形状に変形させた状態で、４つの粘着パッド１１により携帯電話機１２の本体ケース１３の背面に貼着して装着する。このとき、底面側多列端子５０の接触端子部材５３は携帯電話機１２の本体ケース１３の底面に押し当てられて湾曲形状に変形される。
【００５５】
一方、充電器により底面側充電用接点４０を有する携帯電話機１２の充電を行う場合には、図８および図９に示すように、接続端子部２の底面側多列端子５０の接触端子部材５３を底面側充電用接点４０に押し当てて僅かに撓む形状に変形させた状態で、４つの粘着パッド１１により携帯電話機１２の本体ケース１３の背面に貼着して装着する。このとき、背面側多列端子４９の接触端子部材５３は携帯電話機１２の本体ケース１３の背面に押し当てられて湾曲形状に変形される。
【００５６】
これにより、充電器の４個の空気電池７は、携帯電話機１２の一対の背面側充電用接点４１，４１または底面側充電用接点４０，４０を通じて内蔵電池パックに直列接続されて、内蔵電池パックの充電可能状態となる。このとき、接続端子部２の端子ホルダー４２を除去して各多列端子４９，５０と充電用接点４１，４０との相対関係を明確に図示した図６および図８に示すように、背面側多列端子４９または底面側多列端子５０は、充電用接点４１，４０に対向する少なくとも１本の接触端子部材５３が変形に対する復元力で背面側充電用接点４１または底面側充電用接点４０に対し、弾力的に接触して確実な電気的接続状態に保持される。
【００５７】
このようにして充電器の携帯電話機１２への装着が終了したのちに、空気遮断用シート１０を剥がすと、各空気電池７は、空気導入孔１８から内部に導入された空気中の酸素を正極活物質として電気化学反応を起こし、電力を出力するので、内蔵電池パックへの充電が開始される。この実施形態の充電器の電池パック部１は、公証電圧が１．４Ｖの空気電池７が４個直列接続されて、公証電圧が５．６Ｖに設定されている。携帯電話機１２の内蔵電池パックとして一般的に用いられるリチウムイオン電池は、その電圧が３．６Ｖであって、最適の充電電圧が５Ｖであるから、上記電池パック部１の５．６Ｖの出力電圧は、内蔵電池パックの充電用の電圧として適正なものである。なお、電池の出力電圧は放電レートによって異なってくるが、上述の公証電圧が１．４Ｖの空気電池７を４個直列接続して実験した結果、初期電圧が５．１〜５．２Ｖを示し、何ら問題ないことが確認できた。従来の充電器では、アルカリマンガン電池を２本用いる場合、出力電圧が低いことから昇圧する必要があり、００６Ｐ型乾電池を用いる場合、出力電圧が９Ｖと高過ぎることから降圧する必要がある。これに対し、上記充電器は、昇圧や降圧のための回路部などを何ら設けることなく、４個の空気電池７を接続リード片３４を用いた簡単な配線によって直列接続するだけの簡素化された構成で対応できる。
【００５８】
また、上記空気電池７は、空気中に含まれる酸素を正極活物質として活用することから、内部に負極活物質しか収納されておらず、通常の電池に比較して、正極活物質が不要となる分だけ高容量化されている。例えば、空気電池７の単位重量当たりのエネルギ密度は、リチウムイオン電池の約３倍で、アルカリ乾電池の約２倍もある。しかも、空気電池７は、容量が無くなる直前まで高い放電電圧を保持し続ける特長をも有している。
【００５９】
さらに、空気電池７は、出力電流値が約１６０ｍＡｈとやや少ない目であって、比較的低出力で放電するが、その放電開始時の出力電圧として、携帯電話機１２の内蔵電池パックへの充電が可能な電圧値を確保でき、且つ放電に伴う電圧低下が殆ど生じないので、上記充電が可能な電圧値を自体の電池容量が無くなる直前まで保持し続ける放電特性を有している。このような放電特性と上述した高いエネルギ密度とを有する空気電池７により内蔵電池パックを充電する場合には、空気電池７が有する高いエネルギ密度に対応した高い電池容量の殆ど全てを内蔵電池パックへの充電に有効利用できる。そのため、内蔵電池パックを急速充電することはできないが、空気電池７が上述の安定した放電特性を有しているから、内蔵電池パックへの充電を開始した直後に携帯電話機１２を通話可能状態とすることができるとともに、内蔵電池パックを比較的長時間にわたり効率良く充電し続けることができる。したがって、携帯電話機１２の使用者は、充電器を携帯電話機１２に装着したのちに、携帯電話機１２における充電中を表示するランプが点灯したのを確認した時点で、携帯電話機１２を即座に使用することができる。
【００６０】
この充電器は、上述のように厚さが３．１ｍｍと極めて薄型で、且つ軽量化されたものであるから、この充電器を含む携帯電話機１２全体の厚さは、充電器の未装着時と殆ど変わらない。しかも、充電器は、携帯電話機１２の底面側充電用接点４０または背面側充電用接点４１を通じて内蔵電池パックの充電を行う構成としたのに伴い、携帯電話機１２の本体ケース１３の背面に貼着して装着できるので、従来の充電器のように携帯電話機に吊り下げ状態に連結するために全長が長くなるものとは異なり、携帯電話機１２に装着したときに、図７および図９に示すように、接続端子部２の一部が本体ケース１３の延長上に位置するだけであって、携帯電話機１２から出っ張らないので、携帯電話機１２は、充電器の未装着時とほぼ同様の外形に保たれる。
【００６１】
そのため、携帯電話機１２は、充電器を装着したまま握って通常の使用状態で支障なく通話できるものとなる。このとき、充電器の外面側は、保持枠体４に接続リード片３４の配線用部材が全く配設されていないことから、凹凸の無い平坦面になっており、この点からも携帯電話機１２における電池パック部１の装着箇所を何ら違和感なしに直接握ることができる。また、充電器を装着した携帯電話機１２の使用を中断する場合には、空気遮断用シート１０を電池パック部１の外面に貼着するだけで、各空気電池７を放電不能状態に確実に保持できるので、携帯電話機１２を充電器を装着した状態のまま携帯することができる。
【００６２】
また、空気電池７は、空気と反応しながらエネルギーを作り出す方式であることから、内部にエネルギーを蓄えていないので、充電器の充電用電源として安全性の高いものとなる。つまり、従来の充電器の電源として用いられているアルカリマンガン電池は、内部に常時蓄えたエネルギーを放出していく方式であるから、短絡などのトラブルが発生したときに電流が急激に流れて機器を破損してしまうおそれがあるので、これらの電池に比較して空気電池７は安全性の高いものであると言える。さらに、空気電池７は、他種の電池に比較して発熱が少ないので、充電器を装着したまま携帯電話機１２を使用または携帯する場合に、携帯電話機１２の使用者に全く不安を与えることがない利点がある。例えば、アルカリマンガン電池でインターフェイスコネクタを通じて充電する従来の充電器と比較した場合、００６Ｐ型乾電池を使用した充電器の発熱が最も多く、続いて単３乾電池を用いた充電器の発熱が多く、これらに比較して空気電池７を用いた上記充電器の発熱が最も少ないことが確認できた。この空気電池７を用いた充電器の発熱が少ないのは、空気電池７が、比較的低出力で放電する放電特性を有しているのに伴い、１６０ｍＡｈしか電流を流せないことに起因しているものと思われる。
【００６３】
特に、上記充電器の大きな特長は、全機種の携帯電話機１２の充電に対応できる互換性を有していることにある。すなわち、この充電器は、従来の充電器のように携帯電話機の機種により規格が種々に異なるインターフェイスコネクタに接続コネクタを嵌入して接続する方式に代えて、大別して２種類しか存在しない携帯電話機１２の充電用接点４０，４１に対し多列端子５０，４９の接触端子部材５３を単に接触させるだけで電気的接続する方式としたことにより、背面側多列端子４９と底面側多列端子５０との双方を共に備えた構成として、全機種の携帯電話機１２の充電に対応できることが可能となっている。
【００６４】
また、各多列端子５０，４９の接触端子部材５３は、容易に弾性変形することができるとともに、図７および図９に示すように、何れも対応する充電用接点４０，４１に対し約４５°の角度で相対向する相対配置に設定して、導電性固定部材５２の端子ホルダー４２の嵌合溝部４２ｂ，４２ｃへの嵌合によって強固に支持されていることより、背面側充電用接点４１または底面側充電用接点４０の何れに対しても、これら接点４１，４０に対応した形状に容易に変形して、その変形による復元力で確実に接触するとともに、充電用接点４１，４０が存在しない側の底面側または背面側の多列端子５０，４９の接触端子部材５３は本体ケースの底面または背面に押し付けられて湾曲形状に円滑に屈撓するので、何ら支障が生じない。しかも、細い線材からなる複数本の接触端子部材５３を有する計４つの多列端子４９，５０は、端子ホルダー４２内に保持されているので、損傷などを受けるおそれのない状態で保護されるとともに、携帯電話機１２への装着時に、接触端子部材５３が端子ホルダー４２によって背面側充電用接点４１または底面側充電用接点４０に確実な電気的接続状態に押し付けられる。
【００６５】
また、各機種の携帯電話機１２の背面側充電用接点４１は、携帯電話機１２の本体ケース１３の背面における底面側充電用接点４０に近い箇所に設けられているから、接続端子部２は、背面側および底面側の両多列端子４９，５０を比較的近接した配置で設けることができるのに伴い、小型の形状とすることができる。
【００６６】
この充電器は、上述したように薄型、小型および軽量であることから、携帯電話機１２に装着した状態のまま容易に携帯することができるものであるが、例えば、コンビニエンスストアに設置して携帯電話機１２の充電サービスなどの用途に極めて好適に用いることができる。すなわち、この充電器は、小さなスペースに設置して全機種の携帯電話機１２の充電に簡単な操作で対応できるとともに、充電に使用しないときに空気遮断用シート１０を貼着するだけで、各空気電池７を放電不能状態に確実に保持できるからである。
【００６７】
なお、上記実施形態では、薄型の電池パック部１を構成することを目的として、４個の空気電池７を平面状に配置して直列接続した構成を例示して説明したが、空気電池７に代えて、他の薄型電池、例えばポリマー電池を所要の出力電圧が得られる個数だけ直列接続する構成としてもよい。また、電池パック部１を携帯電話機１２の背面に着脱自在に固定する手段としては、実施形態の粘着パッド１１に限らず、例えば、弾性を有するクリップで携帯電話機１２に挟持したり、ゴムバンドなどで保持させるようにしてもよい。
【産業上の利用可能性】
【００６８】
この発明に係る携帯電話機用充電器は、大別して２種類しか存在しない携帯電話機の充電用接点に対し多列端子の複数本の接触端子部材の一部を単に接触させるだけで電気的接続する方式としたことにより、正負一対ずつの背面側多列端子と底面側多列端子との双方を共に備えて、携帯電話機の背面に装着することにより背面側多列端子と底面側多列端子との一方を充電用接点に接触させて電気的接続し、且つ他方を携帯電話機の底面または背面に押し付けて変形させるようにしたので、全機種の携帯電話機の充電に容易に対応することができ、また、複数個の薄型電池を同一平面上に配置してなる薄型で、軽量化された電池パック部を携帯電話機の背面に装着するので、この充電器を含む携帯電話機全体の厚みおよび外形は充電器の未装着時と殆ど変わらないから、携帯電話機を、充電器を装着したまま握って通常の使用状態で支障なく通話できる。
【図面の簡単な説明】
【００６９】
【図１】本発明の一実施形態に係る携帯電話機用充電器を示す分解斜視図
【図２】同上の携帯電話機用充電器に収納された空気電池を示す拡大縦断面図
【図３】同上の携帯電話機用充電器における電池パック部の保持枠体を示す拡大斜視図
【図４】（ａ）は同上の携帯電話機用充電器における接続端子部を示す拡大縦断面図、（ｂ），（ｃ）はそれぞれ背面側充電用接点および底面側充電用接点を有する携帯電話機に装着した状態を一部除去して示した正面図および底面図
【図５】同上の携帯電話機用充電器の電池パック部と接続端子部との相対配置および充電器と携帯電話機との相対配置を示す斜視図
【図６】背面側充電用接点を備えた携帯電話器に同上の携帯電話器を装着した状態を一部除去して示した要部の斜視図
【図７】図６の縦断面図
【図８】底面側充電用接点を備えた携帯電話器に同上の携帯電話器を装着した状態を一部除去して示した要部の斜視図
【図９】図８の縦断面図
【図１０】（ａ）は従来の携帯電話機用充電器の概略構成図、（ｂ）は同充電器を携帯電話機に接続した状態の正面図
【図１１】従来の他の携帯電話機用充電器を携帯電話機に接続した状態の正面図
【符号の説明】
【００７０】
１  電池パック部
２  接続端子部
４  保持枠体
７  空気電池（薄型電池）
１１  粘着パッド（固定手段）
１２  携帯電話機
３０  電池収容孔
３１  連結突部（接続用突部）
３７  正極端子部
３８  負極端子部
４０  底面側充電用接点
４１  背面側充電用接点
４２  端子ホルダー
４２ｂ  背面側嵌合溝部
４２ｃ  底面側嵌合溝部
４７  嵌合突部（被接続用突部）
４９  背面側多列端子
５０  底面側多列端子
５１  接続リード線（接続リード端子）
５１ａ  接触接点（接続接点）
５２  導電性固定部材
５３  接触端子部材
【図１】
2007250348.tif 000003
【図２】
2007250348.tif 000004
【図３】
2007250348.tif 000005
【図４】
2007250348.tif 000006
【図５】
2007250348.tif 000007
【図６】
2007250348.tif 000008
【図７】
2007250348.tif 000009
【図８】
2007250348.tif 000010
【図９】
2007250348.tif 000011
【図１０】
2007250348.tif 000012
【図１１】
2007250348.tif 000013